(57)【要約】【課題】  回転工具の動力伝送装置の提供。【解決手段】  装置本体、伝動アセンブリ、フレキシブル保護シートを具え、装置本体内に、動力入力ロッド、動力出力ロッド、伝動仲介ロッドで組成された伝動アセンブリが組付けられて回転工具の動力の出力に供され、更にフレキシブル保護シートが該装置本体の前端の開放空間を封じ、これにより空気中の灰塵、細物、湿気が装置本体内部に進入するのを防止し、更に、回転工具の回転動力の伝送の構造を安定し、確実とする。【選択図】        図２
2006068892.tif 000002
【特許請求の範囲】
【請求項１】
装置本体、伝動アセンブリ、フレキシブル保護シートを具え、
該装置本体は、その一端に、スイングヘッドシートを枢結するための開放空間が設けられ、該スイングヘッドシートに伝動アセンブリが接続され、該装置本体の該開放空間の周囲に沿ってスクロール溝が設けられてフレキシブル保護シートが組付けられ、
該伝動アセンブリは、相互に噛み合い動力を伝送する動力入力ロッド、動力出力ロッド、及び伝動仲介ロッドを具え、そのうち、動力入力ロッドの一端が回転工具に接続され、該動力出力ロッドの一端がネジ部品の嵌合に供され、該伝動仲介ロッドが動力入力ロッドと動力出力ロッドの間に介装され、該動力入力ロッドの一端より受け取った回転動力を動力出力ロッドを通して螺子止め位置に伝送し、
該フレキシブル保護シートは、所定長さを具えたフレキシブルな片体とされ、その中段をスイングヘッドシートの前端が挿通し、並びにその片体の二端が該装置本体のスクロール溝に置かれ、これにより組付け後に該装置本体前端の開放空間を封じ、
以上の部品で構成されて、回転工具の動力の伝送を安定させ、確実に行なえ、且つ空気中の灰塵、細物或いは湿気の該装置本体内部への進入とそれによる不良な影響を防止することを特徴とする、回転工具の動力伝送装置。
【請求項２】
請求項１記載の回転工具の動力伝送装置において、装置本体が本体シートと本体カバーを対向するよう結合させてなり、その内側に動力入力ロッドの位置決めのためのロッド設置溝と、フレキシブル保護シート設置用のスクロール溝が設けられるほか、本体カバーの一端の開放空間に対応する外側部分が開放状に形成され、保護カバーが固定され、伝動アセンブリの組付け、調整に便利とされたことを特徴とする、回転工具の動力伝送装置。
【請求項３】
請求項１記載の回転工具の動力伝送装置において、動力入力ロッド、動力出力ロッド、の伝動仲介ロッドと相互に噛み合う一端に、第１、第２傘歯車が設けられ、伝動仲介ロッドの該第１、第２傘歯車と噛み合う二端に噛み合って動力伝送するための仲介歯車が設けられ、且つ各ロッドに軸受が設けられ、これら傘歯車の噛み合いと動力伝送により、動力入力ロッドの一端より入力された回転動力が、伝動仲介ロッドを介して動力出力ロッドの一端より外向きに出力され、ネジ部品を回す目的を達成することを特徴とする、回転工具の動力伝送装置。
【請求項４】
請求項１記載の回転工具の動力伝送装置において、装置本体の外側に螺設方式で補助ハンドルが組付けられ、該補助ハンドルの内側は中空とされて複数のネジ回しが収容され、その端面部分にスクリューが凸設され、該スクリューが該装置本体のケースを貫通して螺合されることを特徴とする、回転工具の動力伝送装置。
【請求項５】
装置本体と伝動アセンブリを具え、
該装置本体は、その一端に、スイングヘッドシートを枢結するための開放空間が設けられ、該スイングヘッドシートに伝動アセンブリが接続され、
該伝動アセンブリは、相互に噛み合い動力を伝送する動力入力ロッド、動力出力ロッド、及び伝動仲介ロッドを具え、そのうち、動力入力ロッドの一端が回転工具に接続され、該動力出力ロッドの一端がネジ部品の嵌合に供され、該伝動仲介ロッドが動力入力ロッドと動力出力ロッドの間に介装され、該動力入力ロッドの一端より受け取った回転動力を動力出力ロッドを通して螺子止め位置に伝送し、
以上の部品で構成されて、回転工具の動力の伝送が角度、方向の変換可能とされ、且つ動力の伝送過程が安定し、確実であることを特徴とする、回転工具の動力伝送装置。
【請求項６】
請求項５記載の回転工具の動力伝送装置において、装置本体が本体シートと本体カバーを対向するよう結合させてなり、その内側に動力入力ロッドの位置決めのためのロッド設置溝と、フレキシブル保護シート設置用のスクロール溝が設けられるほか、本体カバーの一端の開放空間に対応する外側部分が開放状に形成され、保護カバーが固定され、伝動アセンブリの組付け、調整に便利とされたことを特徴とする、回転工具の動力伝送装置。
【請求項７】
請求項５記載の回転工具の動力伝送装置において、動力入力ロッド、動力出力ロッド、の伝動仲介ロッドと相互に噛み合う一端に、第１、第２傘歯車が設けられ、伝動仲介ロッドの該第１、第２傘歯車と噛み合う二端に噛み合って動力伝送するための仲介歯車が設けられ、且つ各ロッドに軸受が設けられ、これら傘歯車の噛み合いと動力伝送により、動力入力ロッドの一端より入力された回転動力が、伝動仲介ロッドを介して動力出力ロッドの一端より外向きに出力され、ネジ部品を回す目的を達成することを特徴とする、回転工具の動力伝送装置。
【請求項８】
請求項５記載の回転工具の動力伝送装置において、装置本体の該開放空間の周囲に沿ってスクロール溝が設けられてフレキシブル保護シートが組付けられ、該フレキシブル保護シートは、所定長さを具えたフレキシブルな片体とされ、その中段をスイングヘッドシートの前端が挿通し、並びにその片体の二端が該装置本体のスクロール溝に置かれ、これにより組付け後に該装置本体前端の開放空間を封じることを特徴とする、回転工具の動力伝送装置。
【請求項９】
請求項５記載の回転工具の動力伝送装置において、装置本体の外側に螺設方式で補助ハンドルが組付けられ、該補助ハンドルの内側は中空とされて複数のネジ回しが収容され、その端面部分にスクリューが凸設され、該スクリューが該装置本体のケースを貫通して螺合されることを特徴とする、回転工具の動力伝送装置。
【発明の詳細な説明】
【技術分野】
【０００１】
本発明は電動ネジ回し等の回転工具の技術領域に係り、特に回転工具の回転動力伝送のための装置に関する。
【背景技術】
【０００２】
ネジ回し、スリーブスパナなど手持ち工具の使用の歴史は長く、時代の進歩に伴い、各種の電子、電機及び機械の製品はいずれもネジ部品を利用して組立、固定の作業が行われ、一般にネジ部品を固定する時は、その位置が直角面であったり、或いは空間が狭かったりして一般に周知のネジ回しを利用できない時、組立或いは部品調整上の不便がもたらされる。この欠点を解決するため本願発明者は図１０に示される周知の考案を提供した。それは本体、入力アセンブリ及び出力アセンブリで構成され、該本体は直角形を呈し、その内部に入力アセンブリと出力アセンブリを設置するための管内空間が形成され、二つの空間が角部分で連通し、これにより該入力アセンブリ及び出力アセンブリの噛み合いを利用し、電動手持ち工具の回動時の動力を伝送する。その主要な特徴は、出力傘歯車が軸柱に一体に組み付けられ、該軸柱に適当な深さの開放口軸孔が設けられ、軸孔がバネを収容し、軸柱開放口の端面に複数の対応設置された嵌合溝が設けられている。出力回転軸の一端にはフランジが形成され、フランジ端面に嵌合ブロックと軸ブロックが設けられ、該出力回転軸は階段軸孔を具えた出力ブシュとされて本体の管内空間に組み付けられ、そのフランジがちょうど軸孔の階段部分に支持され、並びに出力回転軸の一端が本体外に延伸され、またフランジ端面がちょうど軸柱開放口軸孔のバネにより弾性支持され、動力駆動の角度式工具が提供される。
【０００３】
上述の周知の考案の使用上の最大の欠点は、該出力アセンブリの一端が角度調整不能であり、締めつけの方向を変換しなければならない時、使用者は工具全体の方向を調整しなければならず、且つネジ止めの角度が９０度でない場合、往々にして工具を確実に使用することができず、改善の必要がある。
【０００４】
このほか、市場にはアダプタ工具であって、そのネジ回しの一端の角度調整が行える製品もあるが、その構造の設計は角度の調整に便利とするために、その一端に開放空間を形成する必要があり、そのために灰塵、細物が内部に進入しやすくなり、改良の必要がある。
【発明の開示】
【発明が解決しようとする課題】
【０００５】
本発明の主要な目的は、一種の回転工具の動力伝送装置を提供することにあり、それは、回転工具の動力を伝送するアダプタ工具とされ、締めつけの一端が角度調整可能であるのみならず、この端が角度調整を行う空間に灰塵が進入しないものとされる。
【課題を解決するための手段】
【０００６】
請求項１の発明は、装置本体、伝動アセンブリ、フレキシブル保護シートを具え、
該装置本体は、その一端に、スイングヘッドシートを枢結するための開放空間が設けられ、該スイングヘッドシートに伝動アセンブリが接続され、該装置本体の該開放空間の周囲に沿ってスクロール溝が設けられてフレキシブル保護シートが組付けられ、
該伝動アセンブリは、相互に噛み合い動力を伝送する動力入力ロッド、動力出力ロッド、及び伝動仲介ロッドを具え、そのうち、動力入力ロッドの一端が回転工具に接続され、該動力出力ロッドの一端がネジ部品の嵌合に供され、該伝動仲介ロッドが動力入力ロッドと動力出力ロッドの間に介装され、該動力入力ロッドの一端より受け取った回転動力を動力出力ロッドを通して螺子止め位置に伝送し、
該フレキシブル保護シートは、所定長さを具えたフレキシブルな片体とされ、その中段をスイングヘッドシートの前端が挿通し、並びにその片体の二端が該装置本体のスクロール溝に置かれ、これにより組付け後に該装置本体前端の開放空間を封じ、
以上の部品で構成されて、回転工具の動力の伝送を安定させ、確実に行なえ、且つ空気中の灰塵、細物或いは湿気の該装置本体内部への進入とそれによる不良な影響を防止することを特徴とする、回転工具の動力伝送装置としている。
請求項２の発明は、請求項１記載の回転工具の動力伝送装置において、装置本体が本体シートと本体カバーを対向するよう結合させてなり、その内側に動力入力ロッドの位置決めのためのロッド設置溝と、フレキシブル保護シート設置用のスクロール溝が設けられるほか、本体カバーの一端の開放空間に対応する外側部分が開放状に形成され、保護カバーが固定され、伝動アセンブリの組付け、調整に便利とされたことを特徴とする、回転工具の動力伝送装置としている。
請求項３の発明は、請求項１記載の回転工具の動力伝送装置において、動力入力ロッド、動力出力ロッド、の伝動仲介ロッドと相互に噛み合う一端に、第１、第２傘歯車が設けられ、伝動仲介ロッドの該第１、第２傘歯車と噛み合う二端に噛み合って動力伝送するための仲介歯車が設けられ、且つ各ロッドに軸受が設けられ、これら傘歯車の噛み合いと動力伝送により、動力入力ロッドの一端より入力された回転動力が、伝動仲介ロッドを介して動力出力ロッドの一端より外向きに出力され、ネジ部品を回す目的を達成することを特徴とする、回転工具の動力伝送装置としている。
請求項４の発明は、請求項１記載の回転工具の動力伝送装置において、装置本体の外側に螺設方式で補助ハンドルが組付けられ、該補助ハンドルの内側は中空とされて複数のネジ回しが収容され、その端面部分にスクリューが凸設され、該スクリューが該装置本体のケースを貫通して螺合されることを特徴とする、回転工具の動力伝送装置としている。
請求項５の発明は、装置本体と伝動アセンブリを具え、
該装置本体は、その一端に、スイングヘッドシートを枢結するための開放空間が設けられ、該スイングヘッドシートに伝動アセンブリが接続され、
該伝動アセンブリは、相互に噛み合い動力を伝送する動力入力ロッド、動力出力ロッド、及び伝動仲介ロッドを具え、そのうち、動力入力ロッドの一端が回転工具に接続され、該動力出力ロッドの一端がネジ部品の嵌合に供され、該伝動仲介ロッドが動力入力ロッドと動力出力ロッドの間に介装され、該動力入力ロッドの一端より受け取った回転動力を動力出力ロッドを通して螺子止め位置に伝送し、
以上の部品で構成されて、回転工具の動力の伝送が角度、方向の変換可能とされ、且つ動力の伝送過程が安定し、確実であることを特徴とする、回転工具の動力伝送装置としている。
請求項６の発明は、請求項５記載の回転工具の動力伝送装置において、装置本体が本体シートと本体カバーを対向するよう結合させてなり、その内側に動力入力ロッドの位置決めのためのロッド設置溝と、フレキシブル保護シート設置用のスクロール溝が設けられるほか、本体カバーの一端の開放空間に対応する外側部分が開放状に形成され、保護カバーが固定され、伝動アセンブリの組付け、調整に便利とされたことを特徴とする、回転工具の動力伝送装置としている。
請求項７の発明は、請求項５記載の回転工具の動力伝送装置において、動力入力ロッド、動力出力ロッド、の伝動仲介ロッドと相互に噛み合う一端に、第１、第２傘歯車が設けられ、伝動仲介ロッドの該第１、第２傘歯車と噛み合う二端に噛み合って動力伝送するための仲介歯車が設けられ、且つ各ロッドに軸受が設けられ、これら傘歯車の噛み合いと動力伝送により、動力入力ロッドの一端より入力された回転動力が、伝動仲介ロッドを介して動力出力ロッドの一端より外向きに出力され、ネジ部品を回す目的を達成することを特徴とする、回転工具の動力伝送装置としている。
請求項８の発明は、請求項５記載の回転工具の動力伝送装置において、装置本体の該開放空間の周囲に沿ってスクロール溝が設けられてフレキシブル保護シートが組付けられ、該フレキシブル保護シートは、所定長さを具えたフレキシブルな片体とされ、その中段をスイングヘッドシートの前端が挿通し、並びにその片体の二端が該装置本体のスクロール溝に置かれ、これにより組付け後に該装置本体前端の開放空間を封じることを特徴とする、回転工具の動力伝送装置としている。
請求項９の発明は、請求項５記載の回転工具の動力伝送装置において、装置本体の外側に螺設方式で補助ハンドルが組付けられ、該補助ハンドルの内側は中空とされて複数のネジ回しが収容され、その端面部分にスクリューが凸設され、該スクリューが該装置本体のケースを貫通して螺合されることを特徴とする、回転工具の動力伝送装置としている。
【発明の効果】
【０００７】
本発明の回転工具の動力伝送装置は、回転工具の動力を伝送するアダプタ工具とされ、締めつけの一端が角度調整可能であるのみならず、この端が角度調整を行う空間に灰塵が進入しない。
【発明を実施するための最良の形態】
【０００８】
図１から図６は本発明の回転工具の動力伝送装置を示し、それは、装置本体１０にスイングヘッドシート２０が組み合わされ、さらに伝動アセンブリ３０とフレキシブル保護片４０が組み合わされている。
【０００９】
該装置本体１０は本体シート１１と本体カバー１２が対向するよう組み合わされてなり、その一端に、スイングヘッドシート２０を枢結するための開放空間１３が区画され、開放空間１３の周囲に沿って装置本体１０の別端に向けてスクロール溝１４が形成され、また、内側の軸方向の所定位置に該開放空間１３と別端外側に連通するロッド設置溝１５が開設されている。また、該本体カバー１２の開放空間１３に対応する一端の外側部分に該開放空間１３に連通する開放孔１２１が形成され、並びに保護カバー１６で閉じられ、伝動アセンブリ３０の関係部品の取り付け、調整に便利とされている。該本体シート１１の外側の所定位置に貫通孔１１１が設けられ、補助ハンドル６０の挿入組み付けに供される。
【００１０】
該スイングヘッドシート２０は略Ｕ字形を呈し、その三方向に収容部２１、出力孔２２、及びネジ孔２３が設けられ、伝動アセンブリ３０の関係部品の組み付けに供される。
【００１１】
該伝動アセンブリ３０は動力入力ロッド３１、動力出力ロッド３２、伝動仲介ロッド３３、及び各ロッドに嵌合される軸受３４を具えている。そのうち、動力入力ロッド３１は装置本体１０のロッド設置溝１５部分に設置され、その装置本体１０より突出する一端に、エア駆動工具或いはネジ回し等の回転工具（図示せず）と嵌合される接続部３１１が形成され、該装置本体１０内の別端に第１傘歯車３１２が設けられ、且つその中段に軸受３４が嵌合される。
【００１２】
該動力出力ロッド３２はそのロッドに軸受３４が嵌合された後、一端がスイングヘッドシート２０の出力孔２２を外向きに挿通するようにして組み合わされ、その装置本体１０内に位置する一端に第２傘歯車３２１が設けられ、外向きに突出する別端の内側にネジ回し等を差し込む嵌め孔部３２２が設けられ、該嵌め孔部３２２の外周に弾性片５１を利用して位置決めビーズ５２と、該弾性片５１外に設けられる保護スリーブ５３が設けられる。該動力出力ロッド３２が装置本体１０に組み付けられる時、該開放空間１３に沿って角度回転可能とされる。
【００１３】
該伝動仲介ロッド３３は２端それぞれに仲介傘歯車３３１が設けられて略Ｉ字形部品とされ、且つその２端の端部がスイングヘッドシート２０の収容部２１に挿通された後、該収容部２１内に置かれた軸受３４と嵌合され位置決めされ、該収容部２１内に置かれた軸受３４が該保護カバー１６の螺嵌によりぐらつき防止され、或いは軸受３４の調整、交換に便利とされる。それは二つの仲介傘歯車３３１のそれぞれ第１傘歯車３１２、第２傘歯車３２１との噛み合いによる動力伝送により、動力入力ロッド３１の一端に回転動力が与えられ、更に伝動仲介ロッド３３の噛み合いによる動力伝送の後、該動力出力ロッド３２により外向きに出力され（図３）、回転動力出力の目的を達成する。
【００１４】
フレキシブル保護シート４０は、所定長さを有するフレキシブルな片体とされ、その中段に嵌置孔４１が設けられてスイングヘッドシート２０の前端が挿入され、並びにその片体の二端がそれぞれ該装置本体１０に設けられたスクロール溝１４部分に置かれ、これにより組立後に該装置本体１０前端の開放空間１３が閉じられる。
【００１５】
該補助ハンドル６０は内側が中空のグリップ体とされ、その一つの外端面にスクリュー６１が凸設され、該補助ハンドル６０は該スクリュー６１が該本体シート１１の貫通孔１１１に挿通された後にスイングヘッドシート２０のネジ孔２３に螺合されることにより装置本体１と一体に結合され、且つ補助ハンドル６０内側にネジ回し５４を収容する溝孔６２が設けられ、並びにハンドルカバー６３で封じられる。該ハンドルカバー６３の中心には補助固定ロッド６３１が凸設され、ハンドルカバー６３の外側面には交錯する溝６３２が形成されている。また、補助ハンドル６０の内側壁面に該溝６３２に対応するリブ６４が凸設され、補助ハンドル６０が取り外される時、ハンドルカバー６３がネジ孔２３部分に螺合され、ハンドルカバー６３と補助ハンドル６０が使用者の作業時の環境の必要により選択的に交換される。
【００１６】
上述の部品で構成され、該伝動アセンブリ３０と装置本体１０が組み合わされる時、該動力出力ロッド３２は１８０度の角度調整機能を有し、本発明の接続時の機能性が向上され、且つ軸受３４がそれぞれ動力入力ロッド３１、動力出力ロッド３２及び伝動仲介ロッド３３のロッドに設けられ、該伝動アセンブリ３０が回転工具の動力を伝送する過程が更に安定し、確実となり、フレキシブル保護シート４０が動力出力ロッド３２の角度調整に伴い該開放空間１３を封じるため、空気中の灰塵、細物或いは湿気等の該装置本体１０内部への進入とそれによる不良な影響を防止する。
【００１７】
以上を受けて、更に図４から図６を参照されたい。本発明の使用時の最大の特徴は動力出力ロッド３２が使用過程中に、開放空間１３において１８０度の角度回転を行なえ、また、その回転時に、該開放空間１３周囲を被覆するフレキシブル保護シート５０もまたスクロール溝１４の経路に沿って、動力出力ロッド３２の角度の変換によりスクロールし、これにより随時該開放空間１３を封鎖する目的を達成することにある。
【００１８】
更に図７から図９に示されるように、本発明の第２種の使用形態によると、該ハンドルカバー６３が補助ハンドル６０の代わりに採用され、これにより、使用の場合が比較的狭く、本発明の補助ハンドル６０の外向きに突出した構造が作業空間に設置できない時、補助ハンドル６０を外し、更にハンドルカバー６０を該ネジ孔２３部分に螺合すればよく、更に説明すると、本発明の該ハンドルカバー６３の外側面及び補助ハンドル６０の内壁面には相互に嵌合する溝６３２とリブ６４が設けられているため、補助ハンドル６０を回して外し、代わりにハンドルカバー６３を螺合させることで交換作業を達成できるのである。
【図面の簡単な説明】
【００１９】
【図１】本発明の立体組合せ外観図である。
【図２】本発明の立体分解図である。
【図３】本発明の組合せ断面図である。
【図４】本発明の別の組合せ断面図である。
【図５】本発明の使用角度の調整表示図である。
【図６】本発明の使用時の別の角度調整表示図である。
【図７】本発明の第２使用形態の立体分解図である。
【図８】本発明の第２使用形態の交換、螺合表示図である。
【図９】本発明の第２使用形態の組立完成平面図である。
【図１０】周知の考案の組合せ断面図である。
【符号の説明】
【００２０】
１０  装置本体                １１  本体シート
１１１  貫通孔                １２  本体カバー
１２１  開放孔                １３  開放空間
１４  スクロール溝            １５  ロッド設置溝
１６  保護カバー              ２０  スイングヘッドシート
２１  収容部                  ２２  出力孔
２３  ネジ孔                  ３０  伝動アセンブリ
３１  動力入力ロッド          ３１１  接続部
３１２  第１傘歯車            ３２  動力出力ロッド
３２１  第２傘歯車            ３２２  嵌め孔部
３３  伝動仲介ロッド          ３３１  仲介傘歯車
３４  軸受                    ４０  フレキシブル保護シート
４１  嵌置孔                  ５１  弾性片
５２  位置決めビーズ          ５３  保護スリーブ
５４  ネジ回し                ６０  補助ハンドル
６１  スクリュー              ６２  溝孔
６３  ハンドルカバー          ６３１  補助固定ロッド
６３２  溝                    ６４  リブ
【図１】
2006068892.tif 000003
【図２】
2006068892.tif 000004
【図３】
2006068892.tif 000005
【図４】
2006068892.tif 000006
【図５】
2006068892.tif 000007
【図６】
2006068892.tif 000008
【図７】
2006068892.tif 000009
【図８】
2006068892.tif 000010
【図９】
2006068892.tif 000011
【図１０】
2006068892.tif 000012